(57)【要約】【課題】グロメットの遮音性能を高める。【解決手段】ゴムまたはエラストマーから成形され、電線群を密嵌して貫通する小径の内筒と、該内筒の外周面と遮音用空間をあけて外嵌すると共に車体係止用凹部を環状に設けている外筒と、前記内筒の外周面から外径方向に突出して前記外筒の軸線方向の一端側と連結する閉鎖壁を備え、前記内筒と外筒の軸線方向の他端側は環状開口となっているグロメットであって、前記内筒の先端の一側部から固定片を突設すると共に他側部から前記固定片より長いベルトを突設し、該ベルトの根元部に斜め方向の折目線を設け、該折目線で前記ベルトを９０度折り曲げて前記固定片の外周に巻き付けると共に少なくとも一回転は巻回して前記内筒と外筒の間の環状開口を塞ぎ、前記内筒と外筒で囲まれた中空を密閉された遮音用空間とする構成としている。【選択図】図１
2012231614.tif 000002
【特許請求の範囲】
【請求項１】
ゴムまたはエラストマーから成形され、電線群を密嵌して貫通する小径の内筒と、該内筒の外周面と遮音用空間をあけて外嵌すると共に車体係止用凹部を環状に設けている外筒と、前記内筒の外周面から外径方向に突出して前記外筒の軸線方向の一端側と連結する閉鎖壁を備え、前記内筒と外筒の軸線方向の他端側は環状開口となっているグロメットであって、
前記内筒の先端の一側周縁から固定片を突設すると共に他側周縁から前記固定片より長いベルトを突設し、該ベルトの根元部に斜め方向の折目線を設け、該折目線で前記ベルトを折り曲げて前記固定片の外周または内筒の先端外周に少なくとも１回転は巻回して前記内筒と外筒の間の環状開口を塞ぎ、前記内筒と外筒で囲まれた中空を密閉された遮音用空間とする構成としているグロメット。
【請求項２】
前記内筒先端と外筒先端とは同等位置とし、前記ベルトに設ける折目線を内筒先端からベルトの突出側に向けて設け、折り曲げた前記ベルトを固定片の外周面に接触させて巻き付け、あるいは内筒先端を外筒先端より外方へ突出させ、前記折目線を内筒の外周面から内筒先端でベルトの基端となる位置に向けて設け、該ベルトを折り曲げた後に内筒の外周面に接触させて巻つけている請求項１に記載のグロメット。
【請求項３】
前記内筒の先端より突出する前記ベルトと固定片は内筒の中心を挟んで対称位置に設け、かつ、該ベルトと固定片の各周方向の長さは前記内筒の周長の１／４〜１／５であり、ベルトは断面平板状とすると共に固定片は断面円弧状としている請求項１または請求項２に記載のグロメット。
【請求項４】
前記ベルトは根元部分の厚さは薄くすると共に次第に厚くし、突出端側は次第に薄くしている請求項１乃至請求項３のいずれか１項に記載のグロメット。
【請求項５】
前記ベルトには、前記折目線に近接した根元側から突出端にかけて、ベルト本体の長さ方向の一端縁に沿って段差幅広部を設け、前記折目線に沿って折り曲げて巻回すると、前記段差幅広部はベルト本体の側縁に位置し、前記内筒と外筒の環状開口を塞ぐベルト幅を拡大している請求項１乃至請求項４のいずれか１項に記載のグロメット。
【請求項６】
請求項１乃至請求項５のいずれか１項に記載のグロメットの内筒にワイヤハーネスを構成する電線群を挿通し、前記グロメットのベルトを折目線にそって９０度で折り曲げて前記固定片の外周面に接触させて巻回し、前記外筒先端と内筒の間の環状開口を前記ベルトで塞いた状態で、前記外筒の外周面、巻回したベルトの外周面、内筒から引き出されるワイヤハーネスの外周面にかけて粘着テープを巻き付けているグロメットの取付構造。
【発明の詳細な説明】
【技術分野】
【０００１】
本発明は車両に配索するワイヤハーネスに外装するグロメットに関し、特に、エンジンルームと車室とを仕切る車体パネルの貫通穴に装着するグロメットにおいて、エンジンルーム側から車室への遮音性能を高めたグロメットに関する。
【背景技術】
【０００２】
近時、車室内の静寂性を保つため、エンジンルームから車室への騒音の伝達を防止する遮音機能が高いグロメットが求められている。この種の遮音性を高めたグロメットとして、本出願人は特開２００２−１０４５１号公報で、図１５（Ａ）（Ｂ）に示すグロメット１００を提供している。
【０００３】
前記グロメット１００は、ワイヤハーネス１２０を密着して挿通する小径の内筒１０１の一端を外側へ折り返して外筒１０２を設け、該外筒１０２の折り返し側の拡径した外周面に環状の車体係止凹部１０３を設け、外筒１０２と内筒１０１との間の他端側の開口１０４は外筒１０２の外周に粘着テープ１０５を巻き付けることにより閉鎖し、内筒１０１と外筒１０２に囲まれた密閉空間からなる遮音空間１１０を設けるようにしている。
【先行技術文献】
【特許文献】
【０００４】
【特許文献１】特開２００２−１０４５１号公報
【発明の概要】
【発明が解決しようとする課題】
【０００５】
前記のようにグロメットを内筒と外筒の二重筒構造とし、内筒と外筒の間に密閉された中空部からなる騒音吸収用の遮音空間１１０を設ける場合、内筒と外筒との間の前記開口１０４を確実に塞ぐ必要がある。この開口１０４はグロメット１００を金型で射出成形する際に中子取出用として必須であり、開口１０４の幅を小さくすると中子が容易に取り出せなくなり、中子を容易に取り出すために大きな開口１０４とすると、粘着テープ１０５の巻き付けだけでは外筒１０２の弾性復元力が作用して内筒１０１と外筒１０２との間に隙間が発生しやすく、その場合には遮音性能が劣ることになる。さらに、粘着テープ１０５をしっかりと巻き付けて固定しても、開口１０４が塞がれて密封されているかが分かりにくい問題がある。
【０００６】
本発明は前記問題を解消せんとするもので、グロメットの遮音空間を構成する内筒と外筒との先端開口を確実に塞ぐと共に、該塞いだ状態が外観で確認できるグロメットを提供することを課題としている。
【課題を解決するための手段】
【０００７】
前記課題を解決するため、本発明は、ゴムまたはエラストマーから成形され、電線群を密嵌して貫通する小径の内筒と、該内筒の外周面と遮音用空間をあけて外嵌すると共に車体係止用凹部を環状に設けている外筒と、前記内筒の外周面から外径方向に突出して前記外筒の軸線方向の一端側と連結する閉鎖壁を備え、前記内筒と外筒の軸線方向の他端側は環状開口となっているグロメットであって、
前記内筒の先端の一側周縁から固定片を突設すると共に他側周縁から前記固定片より長いベルトを突設し、該ベルトの根元部に斜め方向の折目線を設け、該折目線で前記ベルトを折り曲げて前記固定片の外周または内筒の先端外周に少なくとも１回転は巻回して前記内筒と外筒の間の環状開口を塞ぎ、前記内筒と外筒で囲まれた中空を密閉された遮音用空間とする構成としているグロメットを提供している。
【０００８】
前記のように、内筒の先端からベルトを突設し、該ベルトの根元側に設けた斜めの折目線に沿ってベルトを略９０度で折り曲げると、内筒および外筒の環状にそって巻回させ、丁度、内筒と外筒との間の環状開口を塞ぐように位置させることができる。かつ、このベルトにより環状開口を塞いでいる状態を外観で確認できる。
また、この状態で従来と同様に外筒の外周面からグロメットより引き出されるワイヤハーネスの外周面にかけて粘着テープを強く巻き付けることで、外筒の内周面を内筒の外周面に接触させて開口を閉鎖できると共に、若干隙間が生じてもベルトにより隙間が閉鎖されるため、遮音用空間に隙間が生じず、遮音性能を高めることができる。
【０００９】
前記内筒先端と外筒先端とは同等位置とし、前記ベルトに設ける折目線を内筒先端からベルトの突出側に向けて設けた場合は折り曲げた前記ベルトを固定片の外周面に接触させて巻き付け、あるいは内筒先端を外筒先端より外方へ突出させ、前記折目線を内筒の外周面から内筒先端でベルトの基端となる位置に向けて設けた場合は、前記ベルトを折り曲げた後に内筒の外周面に接触させて巻つけている。
【００１０】
前記内筒の先端より突出する前記ベルトと固定片は内筒の中心を挟んで対称位置に設け、かつ、該ベルトの周方向の長さ（幅）は前記内筒の周長の１／４〜１／５とし、ベルトは断面平板状とすると共に、固定片は断面円弧状としていることが好ましい。
【００１１】
ベルトは細幅で断面平板状とすると巻回しやすくなり、その幅は狭くする方が操作性がよい。一方、固定片はワイヤハーネスの電線群の外周に位置させて粘着テープで巻き付けるものであるため、電線群の外周に沿い易い円弧状とすることが好ましい。また、該固定片の周方向長さの幅は限定されず、ベルトの部分を除いた部分を固定片としてもよく、また、ベルトと同等な幅としてもよい。
【００１２】
前記ベルトの長さは環状開口の周方向の長さと丁度対応した長さとし、ベルトを１回転させると、丁度、環状開口に沿って１回転した長さとなることが好ましい。これにより、ベルトの巻回部の外径が外筒の外径より大となって局部的な肥大化の発生を防止でき、かつ、ベルトにより塞がれない環状開口の発生を防止できる。
【００１３】
また、前記ベルトは根元部分の厚さは薄くすると共に次第に厚くし、突出端側は次第に薄くしていることが好ましい。
前記のように、ベルトは折目線を設けた根元部分を薄肉とすると折り曲げ易くなり、また、先端を次第に薄くすることでベルトの巻き終わり端に段差が生じるのを防止できる。かつ、ベルトの長さ方向の中間部の肉厚を大とすると、折り目線に沿って９０度曲げて折り返した際にベルトの厚さ方向が巻回するベルトの径方向となり、内筒と外筒との間の隙間の径方向寸法が大きい場合にもベルトで塞ぐことができる。
【００１４】
前記ベルトには、前記折目線に近接した根元側から突出端にかけて、ベルト本体の長さ方向の一端縁に沿って段差幅広部を設け、前記折目線に沿って折り曲げて巻回すると、前記段差幅広部はベルト本体の外周側に位置し、前記内筒と外筒の環状開口を塞ぐベルト幅を拡大してもよい。
【００１５】
前記ベルトの長さ方向に沿った段差幅広部はベルトの厚さを大とする代わりに設けている。ベルトの長さ方向の一端に沿って段差幅広部を設けると、折り目に沿って９０度折り曲げて巻回した時に、段差幅広部がベルト本体の外周に沿って位置し、径方向の長さを拡大した状態となり、径方向に大きな寸法を有する環状開口を塞ぐことができる。
【００１６】
さらに、本発明は前記したグロメットの内筒にワイヤハーネスを構成する電線群を挿通し、前記グロメットのベルトを折目線にそって折り曲げて前記固定片の外周面に接触させて巻回し、前記外筒先端と内筒の間の環状開口を前記ベルトで塞いた状態で、前記外筒の外周面、巻回したベルトの外周面、内筒から引き出されるワイヤハーネスの外周面にかけて粘着テープを巻き付けているグロメットの取付構造を提供している。
【発明の効果】
【００１７】
前記のように、本発明のグロメットは、内筒の先端からベルトを突設し、該ベルトの根元側に折目線を設けて折り曲げ、該ベルトを巻回して内筒と外筒の間の環状開口を塞いでいる。このように、内筒と外筒との間の先端開口をグロメットと一体成形したベルトで塞ぐことで、内筒と外筒との間の遮音用空間を密閉空間として保持して遮音性能を高めることができる。
【図面の簡単な説明】
【００１８】
【図１】本発明のグロメットの第１実施形態の断面図である。
【図２】図１のグロメットのＡ−Ａ線断面図である。
【図３】図１のグロメットの要部斜視図である。
【図４】図１のグロメットにワイヤハーネスを通した状態を示し、（Ａ）は要部側面図、（Ｂ）は（Ａ）のＢ−Ｂ線断面図である。
【図５】グロメットのベルトを折り曲げた状態を示す要部側面図である。
【図６】グロメットのベルトを巻回した状態を示し、（Ａ）は要部斜視図、（Ｂ）は（Ａ）のＣ−Ｃ線断面図、（Ｃ）は要部側面図、（Ｄ）は（Ｃ）のＤ−Ｄ線断面図である。
【図７】（Ａ）は前記グロメットのベルトを巻回した状態を示す全体概略断面図、（Ｂ）はベルトを巻回した後に粘着テープを巻き付けている状態を示す全体概略断面図でる。
【図８】第２実施形態を示し、（Ａ）が要部斜視図、（Ｂ）は断面図である。
【図９】第３実施形態を示し、（Ａ）は要部断面図、（Ｂ）は（Ａ）の平面図である。
【図１０】（Ａ）〜（Ｃ）は第３実施形態のベルト巻き工程を示す断面図である。
【図１１】第４実施形態のグロメットの断面図である。
【図１２】第４実施形態のグロメットを示し、（Ａ）は断面図、（Ｂ）は平面図である。
【図１３】（Ａ）〜（Ｃ）は第４実施形態のグロメットのベルトの巻回工程を示す断面図である。
【図１４】（Ａ）は第４実施形態のグロメットのベルトを巻回した状態を示す全体概略断面図、（Ｂ）はベルトを巻回した後に粘着テープを巻き付けている状態を示す全体概略断面図である。
【図１５】（Ａ）（Ｂ）（Ｃ）は従来例を示す図面である。
【発明を実施するための形態】
【００１９】
以下、本発明の実施形態を図面を参照して説明する。
図１乃至図７に第１実施形態のグロメット１を示す。
グロメット１は、自動車のエンジンルームと車室を仕切る車体パネルに設けた貫通穴に、ワイヤハーネス２に外装して装着するものであり、エンジンルームから車室への浸水防止を図ると共に、エンジンルームの騒音が車室へ伝わらないように遮音機能も保持している。なお、後述する他の実施形態のグロメットの適用箇所は該第１実施形態のグロメットと同様である。
【００２０】
前記グロメット１は、ゴムまたはエラストマー（本実施形態はＥＰＤＭ）を金型に射出して成形した一体物のグロメットである。
グロメット１は、ワイヤハーネス２（図７に示す）の電線群を密嵌して貫通する小径の内筒５と、該内筒５の外周面と遮音用空間１０をあけて外嵌すると共に車体係止用凹部７を環状に設けている外筒６と、前記内筒５の軸線方向の中間位置の外周面から外径方向に突出して前記外筒６の軸線方向の一端側と連結する閉鎖壁８を備えている。該閉鎖壁８と反対側の内筒５と外筒６で囲まれる他端側は環状開口１１となっている。該環状開口１１は遮音用空間１０と連通するため、該環状開口１１を閉鎖すると遮音用空間１０が密閉された空気層として遮音性が高まり、環状開口１１に隙間が生じると音漏れが生じて遮音性能が低下することになる。
【００２１】
前記外筒６に開口すると共に対向する閉鎖壁８から軸線方向に突出する筒部９Ａ、９Ｂはウオッシャホースとフードオープナーケーブルとからなる線材を挿通するための筒部であり、前記線材の挿通時には筒部９Ａ、９Ｂの先端閉鎖部を切断するものとしている。
【００２２】
前記環状開口１１を囲む内筒５の先端５ａと外筒６の先端６ａは略同一位置にある。内筒５の先端５ａの一側部から固定片１２を突設すると共に他側部から固定片１２より長いベルト１３を突設している。該ベルト１３は平板状の細長い帯状としており、該ベルト１３の幅Ｓは内筒５の周長の略１／４としている。また、内筒５との連結側のベルト根元部に斜め方向の折目線１４を、該折目線１４に沿ってベルト１３を９０度折り曲げられるようにしている。折り目線１４は斜め傾斜した溝部を設けて薄肉とした折目線１４を形成している。折目線１４の長さは７ｍｍとしている。なお、溝を間欠的に設けてもよいし、穴を間欠的に設けて折目線１４を形成してもよい。
【００２３】
ベルト１３は折目線１４に沿って折り曲げてベルト１３の突出方向を９０度変換した後に固定片１２の外面に接触するように巻回した時、環状開口１１を丁度１回転できる長さとしている。かつ、折目線１４の形成位置がベルト１３を折り曲げた状態でベルト１３の長さ方向の一端縁１３ａに沿った厚さ面１３ｔが外筒６の先端面に当接する位置になると共に、該ベルト１３の厚さ面１３ｔで環状開口１１を塞ぐようにしている。
【００２４】
前記固定片１２はベルト１３と直径方向の対向位置に設け、断面円弧状とし、その周長は内筒５の周長の略１／４としている。固定片１２の長さはベルト１３より短いが、内筒５の先端５ａから引き出される電線群Ｗと巻き付ける粘着テープＴ１の幅より長くしている。
【００２５】
前記形状としたグロメット１は内筒５を拡げ治具で拡げながら、図４に示すように、ワイヤハーネス２を挿通する。その後、図５に示すように、グロメット１のベルト１３を折目線１４に沿って９０度折り曲げた後に固定片１２の外周面に接触させて巻回する。この時、図６に示すように、ベルト１３の長さ方向の一端縁１３ａの厚さ面１３ｔが外筒６の先端６ａの端面に当接し、丁度、１回転した状態で、内筒５と外筒６の先端間の環状開口１１をベルト１３で塞ぐこととなる。即ち、図７（Ａ）に示す状態として外観して隙間がないことをチェックできる。
【００２６】
図７（Ｂ）に示すように、粘着テープＴ１を外筒６の外周面から巻回したベルト１３の外周面へとハーフラップ巻きし、さらに、ベルト１３の外周面から固定片１２およびワイヤハーネスの電線群Ｗの外周にかけて粘着テープＴ１を巻き付けてベルト１３を巻回状態で固着すると共に、グロメット１とワイヤハーネスとを固着する。
【００２７】
このように、グロメット１の内筒５の先端から一体的に突設したベルト１３を折目線１４に沿って９０度折り曲げて巻回することで、内筒５と外筒６の先端間に形成される環状開口１１をベルト１３で塞ぐことができる。よって、内筒５と外筒６で囲まれる遮音用空間１１を密閉した中空空気層とすることができ、遮音性能を高めることができる。
【００２８】
図８に第２実施形態のグロメットを示す。
該グロメットでは内筒５を外筒６より突出させ、ベルト１３の根元に設ける折目線１４は、その内端１４ａを内筒５の外周面として先端１４ｂを内筒５の先端でベルト１３の基端に設けている。内端１４ａから軸線方向に切り込み１３ｓをいれて、ベルト１３を内筒５に延在させて設けた形状としている。
【００２９】
第２実施形態ではベルト１３を内筒５の外周面に沿って１回転できるため、安定した巻き付けができると共にベルト１３は内筒５の外周面に位置するため環状開口１１をより確実に塞ぐことができる。
【００３０】
図９および図１０に第３実施形態のグロメットを示す
該グロメットでは、ベルト１３の肉厚ｔを長さ方向で変化させている。即ち、ベルト１３は折目線１４を設けた側の根元部分１３ｒの厚さは薄くすると共に次第に厚くし、突出端部１３ｐの厚さは次第に薄くし、中間部１３ｍの厚さは厚くしている。
前記根元部分１３ｒの長さは略１０ｍｍ、先端部分の長さも約１０ｍｍ、中間の厚肉部分の長さは４０ｍｍとしている。
他の構成は第１実施形態と同様であるため、同一符号を付して説明を省略する。
【００３１】
前記のようにベルト１３の厚さを長さ方向で変え、突出端部１３ｐの厚さを薄くすると、ベルト１３を折り曲げて巻回した時に、巻き終わり端に段差を発生させない。また、折目線に近接した根元部分１３ｒの肉厚を薄くすると、折り曲げ易くなる。かつ、ベルト１３の中間部１３ｍの厚さｔを厚くすると、該厚さｔで環状開口１１を塞ぐため、隙間の発生を無くし易くなると共に、径方向寸法が大きな環状開口１１を塞ぐことができる。
【００３２】
図１１乃至図１４に第４実施形態のグロメットを示す。
該グロメットでは、ベルト１３の折目線１４に近接した根元側から突出端にかけて、ベルト本体１３ｈの長さ方向の一端１３ａに沿ってＬ形状とした段差幅広部１３ｄを設けている。他の構成は第１実施形態と同様であるため、同一符号を付して説明を省略する。
【００３３】
ベルト１３の折目線１４に沿って９０度折り曲げて巻回すると、段差幅広部１３ｄはベルト本体１３ｈの側縁に位置し、内筒５と外筒６の環状開口１１を塞ぐベルト幅を拡大する機能を有する。即ち、第３実施形態のベルトの中間部分の肉厚を大とする代わりに段差幅広部１３ｄを設けることで、環状開口１１を確実に塞ぐことができる。
【符号の説明】
【００３４】
１  グロメット
２  ワイヤハーネス
５  内筒
６  外筒
１０  遮音用空間
１１  環状開口
１２  固定片
１３  ベルト
１４  折目線
Ｔ１  粘着テープ
【図１】
2012231614.tif 000003
【図２】
2012231614.tif 000004
【図３】
2012231614.tif 000005
【図４】
2012231614.tif 000006
【図５】
2012231614.tif 000007
【図６】
2012231614.tif 000008
【図７】
2012231614.tif 000009
【図８】
2012231614.tif 000010
【図９】
2012231614.tif 000011
【図１０】
2012231614.tif 000012
【図１１】
2012231614.tif 000013
【図１２】
2012231614.tif 000014
【図１３】
2012231614.tif 000015
【図１４】
2012231614.tif 000016
【図１５】
2012231614.tif 000017